(57)【要約】【課題】老人が迷子になることを防止できる信号送受信手段を他の新たな形態の組立を実施することによって巧みな体積によりばらばらにリング・テープ形式の腕時計帯に配置し、老人が平時に外出する場合に身に付ける腕時計などの物品につけられ、ファミリー・メンバーが外出の老人が戻らない場合に信号を精密に検出できる衛星位置決めシステムまたは送信信号が安定したデジタル携帯電話システムを介して老人の所在場所を精確に追跡できる信号送受信装置を提供する。【解決手段】手首に付けられる送受信手段にラジオ・フリクエンシーまたは衛星位置決めシステムを組み合わせることによって無線送受信機能を有する腕時計帯に所要の用途の製品を合わせ、使用上に占用面積が巧みに且つ軽量化にすることができると共に、サーチングする場合に検出精密さが優れる位置決めシステムを介して精確に所在する方位を判別できるようにする。【選択図】　　図１
0003098175.tif 000002
【実用新案登録請求の範囲】
【請求項１】
リング・テープ形式の手首帯にラジオ・フリクエンシー手段を結合することによって無線送受信機能を有する手首帯に所要の用途の製品を組み合わせられるようにし、信号送信装置の使用上の占用体積を精密にすると共に、軽量になるように設定でき、サーチングする場合に、信号検出が精密である位置決めシステムを介して精密に所在する方位の信号を判別できることを特徴とする、信号送受信装置。
【請求項２】
リング・テープ形式の手首帯に衛星位置決めシステムを結合することによって無線送受信機能を有する手首帯に所要の用途の製品を組み合わせられるようにし、信号送信装置の使用上の占用体積を精密にすると共に、軽量になるように設定でき、サーチングする場合に、信号検出が精密である位置決めシステムを介して精密に所在する方位の信号を判別できることを特徴とする、信号送受信装置。
【請求項３】
リング・テープ形式の手首帯にラジオ・フリクエンシー手段と衛星位置決めシステムを組み合わせてなることを特徴とする、請求項１または請求項２に記載の信号送受信装置。
【請求項４】
リング・テープ形式の手首帯の先端と末端との間における係合部材に合わせ組立てられることを特徴とする、請求項１または請求項２に記載の信号送受信装置。
【請求項５】
リング状の装飾品の任意の予め設定される段落のユニット装飾品の内部に取り付けられることを特徴とする、請求項１または請求項２に記載の信号送受信装置。
【考案の詳細な説明】
【０００１】
【考案の属する技術分野】
本考案は、信号送受信装置に係わり、特に手首に付けられる信号送受信装置にラジオ・フリクエンシーまたは衛星位置決めシステムを合せることによって信号検出精密さと送受信の安定さを向上すると共に、ノイズの干渉を減少できる送信手段を提供でき、且つそれらをばらばらにリング・テープ形式の腕時計帯に配置でき、平時に外出する場合に手首に付けられる腕時計に組立てられ、信号送信手段が使用上に占用面積を巧みにすることができると共に、軽量化することもできる考案を提供することをその主要な目的とする。
【０００２】
【従来の技術およびその課題】
業界では、老人が外出し、または独身で生活している場合に、身に付けられる無線ラジオ・フリクエンシー送受信を介して迷子になったり体が悪くなったりする場合にボタンを押すことによって救いを求める信号を発信し、関連する保護人員に告知し、即刻的に救いを求められる救急手段を開発してきた（図４と図５参照）。当該救急手段は救急電気回路を腕時計本体（８０）内に配置され、それにボタンのレイアウト及び操作を合せることによって救急信号発信及び各種機能のテスト機能を付与するものである。そのうち、前記救急電気回路には、電圧安定化電気回路（１０）と主プロセッサー（２０）と副プロセッサー（３０）とメモリ電気回路（４０）と電圧検出電気回路（５０）と高周波数送信電気回路（６０）と中継電気回路（７０）などのユニットからなり、それらを一つの腕時計本体（８０）内に整合組立し、且つ本体（８０）の四つのコーナーにそれぞれ四セットのボタン（８０１，８０２，８０３，８０４）を設け、そのうちの三セットのボタン（８０２，８０３，８０４）を業者のデータ入力手段とし、且つ上方の二セットのボタン（８０１，８０２）の押し付け操作によって救急信号を送信し、且つ不活動の定時の設定またはテストまたはバッテリ低電圧テストと不活動テストなどの機能の設定またはテストを付与することによって救急手段の機能をノーマルになるように確保すると共に、緊急時に救急連絡機能を効果的に発揮させることができるようにする。
【０００３】
この種の腕時計タイプの救い手段は、使用上において依然として下記のような欠点を有する。
一、複雑的な電気回路を腕時計の本体に配置する場合、情報機能に悪影響を及ぼすことによってその位置決め判決結果に悪影響を及ぼす。
二、救い手段と時計手段を同時に腕時計本体に整合する場合、時計機能が壊れてしまうと、使用者は全体を交換しないと、その救い手段が腕時計機能を失ってしまうようになり、使用者の支出を余分に増加するようになる。新しい腕時計タイプ救い手段を交換しないと、救い手段は腕時計機能がないために使用者の使用意欲を大幅に低減するようになってしまう。
【０００４】
【課題を解決するための手段】
本考案は、前記と同一性質の老人の迷子になることを防止できる信号送受信手段を、他の新たな形態の組立を実施することによって巧みな体積によりばらばらにリング・テープ形式の腕時計帯に配置し、老人が平時に外出する際に付けられる腕時計などの物品につけられ、ファミリー・メンバーが外出の老人が戻らない場合に信号を精密に検出できる衛星位置決めシステムまたは送信信号が安定しているデジタル携帯電話システムを介して老人の所在場所を精確に追跡できる信号送受信装置を提供する。
【０００５】
本考案は、手首に付けられる送受信手段にラジオ・フリクエンシーまたは衛星位置決めシステムを組み合わせることによって、無線送受信機能を有する腕時計帯に所要の用途の製品を合わせ、使用上の占用面積が巧みに且つ軽量化にすることができると共に、サーチングする場合に検出精密さが優れる位置決めシステムを介して精確に所在する方位を判別できる信号送受信装置を提供することをその主要な目的とする。
【０００６】
以下に添付図面を参照しながら本考案の好適な実施の形態を詳細的で具体的に説明する。
【０００７】
【考案の実施の形態】
本考案による信号送受信装置は図１と図２に示すように、主に信号送受信用のアンテナを幾何形状の薄膜式アンテナ（１）になるように制作し、且つそれらの薄膜式アンテナ（１）を腕時計（７）の本体表面（２）と相互に枢着されるそれぞれの段落の腕時計帯（３）の外周縁部と、腕時計帯（３）の先端部と末端部の係合部材（４）の外周縁部に貼り付け、本体表面（２）と腕時計帯（３）と先端部及び末端部における係合部材（４）におけるそれぞれの薄膜式アンテナ（１）の相互間にそれぞれの腕時計帯（３）におけるつなぎ合う連結ピン（５）を介して相互に連結することによってアンテナ組立体を形成し、且つそれぞれのリング・テープ形式の腕時計帯（３）または手首帯の先端部と末端部における係合部材（４）のいずれのスペース内に送受信装置（６）を配置し、当該送受信装置（６）がラジオ・フリクエンシーまたは衛星位置決めシステムのモードを結合するものである。この種のリング・テープ状の送受信装置は使用上において老人の平時につける腕時計（７）を組み合わせて結合でき、送受信装置（６）を使用上において占用体積がもっと巧みにすることができると共に、軽量化させることもできる。
【０００８】
また、本考案による信号送受信装置（６）はリング状の装飾品（８）につけられ（図３参照）、この種の送受信装置（６）との結合方式は装飾品（８）の外周縁部に薄膜式アンテナ（１）を貼り付けると共に、それぞれの薄膜式アンテナ（１）の相互間に装飾品ユニット（８１）の隣り合う部位における連結ピン（５）を介して相互に結合することによって連通しあうアンテナ組立体を形成するものである。且つ装飾品（８）のいずれ一方の装飾品ユニット（８１）の表層面に受信ボタン（９）を結合することによって、使用時に受信する機能を起動するために押し付けられることによって起動する手段とすることができ、且つ装飾品（８）のそれぞれの装飾品ユニット（８１）の配置段落の内部空間に送受信装置（６）を収納でき、平時に手首に付けられる広範的にそれぞれ異なる角度の発信した信号を受信できる手段とすることができる。
【０００９】
本考案による信号送受信装置は、そのラジオ・フリクエンシー方式のモジュールとしてＧＳＭやＣＤＭＡ２０００やＷＣＤＭＡなどのモジュールを採用できる。下記のように示している。
【００１０】
【表１】
0003098175.tif 000003
【００１１】
他の無線送受信モジュールは例えばブルー・トゥース（Ｂｌｕｅｔｏｏｔｈ（Ｒ））（２．４ＧＨｚ）やＷＬＡＮ（２．４ＧＨｚ）ＨＦなどの周波数バンドのモジュールやＳ周波数バンドのモジュールやＣ−周波数バンド（よく見られるモジュールにはＷＬＡＮ８０２．１１ａなどのモジュールがあり）やＸ周波数バンドのモジュールや前記のそれぞれのモジュールの組合せまたは前記のそれぞれのモジュールと前記ＧＳＭやＣＤＭＡ２０００やＷＣＤＭＡなどとの組合せを採用できる。また、本考案による信号送受信装置も使用地域に応じてそれぞれのニーズに合せて組立応用できる。
【００１２】
【考案の効果】
本考案によるリング・テープ形式の送受信装置は、使用上において下記のような優れる点を有する。
一、信号送受信装置のアンテナは薄膜形式によってリング・テープ形式の製品に付けられると共に、それぞれのセクションのリング・テープの内部にそれぞれ細薄いバッテリを収納できるので、送受信装置全体の体積を薄型化できる。
二、リング・テープ形式に製造される信号送受信装置は、それぞれ異なる形式の腕時計や他の部材に合せることによって使用者にそれぞれ異なる場合に利用できるようにすることができ、例えば、登山スポーツ用腕時計や水泳用防水腕時計やパーティーに出席する場合に使用される正式のタイプの腕時計などに利用でき、身に付けられる機動性と利便性を大幅に向上できる。
三、リング・テープ形式の送受信装置は、使用上において結合される腕時計または他の組み合わせ製品の機能の影響を受けない。
【図面の簡単な説明】
【図１】本考案の信号送受信装置の実施の形態を示す外観図である。
【図２】本考案の信号送受信装置に腕時計を組み合わせる場合の実施の形態を示す説明図である。
【図３】本考案の信号送受信装置の第二の実施の形態を示す外観図である。
【図４】従来物の全体を示す外観の説明図である。
【図５】従来の救い求めシステムを示すブロック図である。
【符号の説明】
１　　　薄膜式アンテナ
２　　　腕時計の本体表面
３　　　腕時計帯
４　　　係合部材
５　　　連結ピン
６　　　信号送受信装置
７　　　腕時計
８　　　装飾品
９　　　受信ボタン
１０　　電圧安定化電気回路
２０　　主プロセッサー
３０　　副プロセッサー
４０　　メモリ電気回路
５０　　電圧検出電気回路
６０　　高周波数送信電気回路
７０　　中継電気回路
８１　　装飾品ユニット
８０１，８０２，８０３，８０４　　ボタン
【図１】
0003098175.tif 000004
【図２】
0003098175.tif 000005
【図３】
0003098175.tif 000006
【図４】
0003098175.tif 000007
【図５】
0003098175.tif 000008
【手続補正書】
【提出日】平成15年8月1日(2003.8.1)
【手続補正１】
【補正対象書類名】明細書
【補正対象項目名】実用新案登録請求の範囲
【補正方法】変更
【補正の内容】
【実用新案登録請求の範囲】
【請求項１】
互いに通電状態で連結した複数の薄膜式アンテナよりなるアンテナ組立体を有するリング・テープ形式の手首帯に組み込んだ信号送受信装置であって、
前記アンテナ組立体を介してラジオ・フリクエンシー信号の送受信を行なう送受信装置とより構成することを特徴とする、
信号送受信装置。
【請求項２】
請求項１に記載の信号送受信装置において、前記リング・テープ形式の手首帯は、腕時計であることを特徴とする、信号送受信装置。
【請求項３】
互いに通電状態で連結した複数の薄膜式アンテナよりなるアンテナ組立体を有するリング・テープ形式の手首帯に組み込んだ信号送受信装置であって、
前記アンテナ組立体を介して衛星信号を受信する衛星位置決めシステム（ＧＰＳ）とより構成することを特徴とする、
信号送受信装置。
【請求項４】
請求項３に記載の信号送受信装置において、前記リング・テープ形式の手首帯は、ブレスレットであることを特徴とする、信号送受信装置。